(57)【特許請求の範囲】
【請求項１】
放射線管理区域の作業者が脱衣を行う脱衣エリア、及び洗濯乾燥された被服を配備する配備エリアを有する上階フロアと、
放射線管理区域の作業者が脱衣した被服を洗濯乾燥する洗濯設備エリア、及び当該洗濯設備エリアに隣接し、当該洗濯設備エリアにおいて洗濯乾燥された被服を折りたたむ仕上げエリアを有する下階フロアと、を有する放射線関連施設用建物において、
前記脱衣エリアには、放射線管理区域の作業者の被服を投入する投入部が配置され、
前記洗濯設備エリアには、放射線管理区域の作業者の被服を回収する回収部と、当該回収部で回収された被服を洗濯乾燥する洗濯乾燥部と、当該洗濯乾燥部が洗濯乾燥した被服の汚染を検知し、汚染されていない被服を前記仕上げエリアに送り出す仕分け部とが配置され、
前記投入部と前記回収部との間に、前記投入部から前記回収部まで被服を案内するシュート部が設けられ、
前記配備エリアと前記仕上げエリアとの間に、前記仕上げエリアにおいて仕上げた被服を前記配備エリアに搬送する昇降手段が設けられたことを特徴とする放射線関連施設用建物。
【請求項２】
前記回収部は、前記投入部の直下に位置し、
前記仕上げエリアは、前記配備エリアの直下に位置することを特徴とする請求項１記載の放射線関連施設用建物。
【請求項３】
前記上階フロアと前記下階フロアは、上下に隣接したフロアであることを特徴とする請求項１又は２記載の放射線関連施設用建物。
【請求項４】
前記上階フロア及び前記下階フロアの２つのフロアからなることを特徴とする請求項３記載の放射線関連施設用建物。
【請求項５】
前記下階フロアは、地下フロアであることを特徴とする請求項４記載の放射線関連施設用建物。
【発明の詳細な説明】
【技術分野】
【０００１】
本発明は、放射線管理区域で使用した被服を洗濯する施設を有する放射線関連施設用建物に関する。
【背景技術】
【０００２】
従来より、放射線管理区域で作業した作業員は、作業終了後に、予め定められた脱衣エリアで脱衣を行い、脱衣した被服を、予め種類別に用意された運搬用カゴに入れる。被服が入れられた運搬用カゴは、洗濯係員によって、廃棄物処理建物の洗濯設備エリアに運搬され、この洗濯設備エリアに配備された洗濯乾燥機によって被服の洗濯乾燥が行われる。次に、洗濯乾燥が行われた被服に対して汚染状態の検査が行われ、この検査に通った被服が仕上げエリアで折りたたまれ、複数枚の被服の結束が行われた後に配備エリアに搬送される。配備エリアに搬送された被服は、配備エリアに備えられた被服配備棚に入れられる。そして、作業員は、放射線管理区域に入る前に、被服配備棚から必要な装備を取り出し、着衣してから作業を行う。
【０００３】
また、従来、洗濯乾燥が行われた被服の汚染の有無を自動的に検査し、汚染がない被服のみを自動的に折りたたむ原子力発電所のランドリングシステムが提案されている（特許文献１）。
【先行技術文献】
【特許文献】
【０００４】
【特許文献１】特開平９−２５３４００号公報
【発明の概要】
【発明が解決しようとする課題】
【０００５】
特許文献１のようなシステムを用いることにより、洗濯係員の作業負担を軽減することが可能になる。
【０００６】
ところで、洗濯設備エリアには、大量の被服や防具が集まるため、洗濯設備エリアは、廃棄物処理建物において周囲に人がいない場所、あるいは人が少ない場所に設けることが望ましい。ここで、廃棄物処理建物が複数階からなる建物であれば、直上が屋上となる最上階に洗濯設備エリアを設けることが考えられる。
【０００７】
しかし、廃棄物処理建物の最上階に洗濯設備エリアを設けることは、洗濯係員が運搬用カゴを最上階まで運ばなければならないばかりでなく、洗濯乾燥した被服を他のフロア、あるいは建物に運ばなければならないため、作業負担が大きくなる。特に、脱衣エリアや洗濯乾燥した被服を配備する配備エリアが廃棄物処理建物とは異なる建物である場合には、さらに洗濯係員の作業負担が大きくなる。
【０００８】
本発明は、このような問題点を解決し、洗濯係員の作業負担を軽減するとともに、洗濯する被服の回収、洗濯した被服の配備を効率的に行うことを実現した放射線関連施設用建物を提供することを目的とする。
【課題を解決するための手段】
【０００９】
前記目的を達成するため、本発明は、次に記載する構成を備えている。
【００１０】
（１）  放射線管理区域の作業者が脱衣を行う脱衣エリア、及び洗濯乾燥された被服を配備する配備エリアを有する上階フロアと、放射線管理区域の作業者が脱衣した被服を洗濯乾燥する洗濯設備エリア、及び当該洗濯設備エリアに隣接し、当該洗濯設備エリアにおいて洗濯乾燥された被服を折りたたむ仕上げエリアを有する下階フロアと、を有する放射線関連施設用建物において、前記脱衣エリアには、放射線管理区域の作業者の被服を投入する投入部が配置され、前記洗濯設備エリアには、放射線管理区域の作業者の被服を回収する回収部と、当該回収部で回収された被服を洗濯乾燥する洗濯乾燥部と、当該洗濯乾燥部が洗濯乾燥した被服の汚染を検知し、汚染されていない被服を前記仕上げエリアに送り出す仕分け部とが配置され、前記投入部と前記回収部との間に、前記投入部から前記回収部まで被服を案内するシュート部が設けられ、前記配備エリアと前記仕上げエリアとの間に、前記仕上げエリアにおいて仕上げた被服を前記配備エリアに搬送する昇降手段が設けられたことを特徴とする放射線関連施設用建物。
【００１１】
（１）によれば、上階フロアに脱衣エリアがあり、作業員はそこで脱衣して被服をシュート部に入れることにより、被服が洗濯設備エリアに移送される。また、洗濯設備エリアにおいて洗濯乾燥された被服の中で汚染されていないものは、仕上げエリアで折りたたまれ、数枚の被服がまとめて結束されて、昇降手段を介して配備エリアに搬送される。このように、放射線関連施設用建物の上階フロアと、下階フロアとの間で被服が循環するため、洗濯する被服の回収、洗濯した被服の配備を効率的に行うことが可能になるとともに、洗濯係員による被服の運搬作業を大幅に削減することが可能になる。
【００１２】
（２）  （１）において、前記回収部は、前記投入部の直下に位置し、前記仕上げエリアは、前記配備エリアの直下に位置することを特徴とする放射線関連施設用建物。
【００１３】
（２）によれば、放射線関連施設用建物内における上階フロアと下階フロアとのにおける被服の移動において、途中で被服の移動経路が交差することがなくなり、円滑に循環させることが可能になる。これにより、洗濯する被服の回収、洗濯した被服の配備を効率的に行うことが可能になる。
【００１４】
（３）  （１）又は（２）において、前記上階フロアと前記下階フロアは、上下に隣接したフロアであることを特徴とする放射線関連施設用建物。
【００１５】
（４）  （３）において、前記上階フロア及び前記下階フロアの２つのフロアからなることを特徴とする放射線関連施設用建物。
【００１６】
（３）、（４）によれば、シュート部や昇降手段の長さを短くすることが可能になり、その分コストダウンが図れる。
【００１７】
（５）  （４）において、前記下階フロアは、地下フロアであることを特徴とする放射線関連施設用建物。
【００１８】
（５）によれば、大量の被服が集まる洗濯設備エリアが地下フロアにあるため、洗濯前の被服からの放射線による周囲への影響を低減することができる。
【発明の効果】
【００１９】
本発明によれば、洗濯係員の作業負担を軽減するとともに、洗濯する被服の回収、洗濯した被服の配備を効率的に行うことを実現した放射線関連施設用建物を提供することが可能になる。
【図面の簡単な説明】
【００２０】
【図１】本発明の一実施形態における放射線関連施設用建物の各階フロアの要部構成を示す説明図である。
【図２】地上１階フロアにおける各種設備の配置図である。
【図３】地下１階フロアにおける各種設備の配置図である。
【発明を実施するための形態】
【００２１】
以下、本発明の実施形態について、図面を参照しながら詳細に説明する。
【００２２】
図１は、本発明の一実施形態における放射線関連施設用建物の各階フロアの要部構成を示す説明図である。
【００２３】
放射線関連施設用建物１は、地上１階フロア３と地下１階フロア５とを備えた２層の建物である。
【００２４】
地上１階フロア３には、放射線管理区域で作業した作業員が脱衣を行う脱衣エリア１０と、放射線管理区域で作業する作業員が着用する被服が配備される配備エリア２０とが設けられている。ここで、被服とは、帽子、手袋、作業服、下着、靴下等をさす。脱衣エリア１０には、作業員が脱いだ被服を投入する投入ボックス１２が設置されており、配備エリア２０には、洗濯された被服を収納する配備棚２２が設置されている。
【００２５】
地下１階フロア５には、被服の洗濯、乾燥を行う洗濯設備エリア３０と、洗濯、乾燥された被服を折りたたみ、複数の被服を結束する仕上げエリア４０とが設けられている。洗濯設備エリア３０には、投入ボックス１２に投入された被服を回収する回収カゴ３２と、洗濯乾燥機３４と、ランドリングモニタ装置３６とが設けられている。仕上げエリア４０には、結束機４２が設けられている。
【００２６】
洗濯乾燥機３４は、被服の洗濯、乾燥を行うものである。ランドリングモニタ装置３６は、モニタリング部と仕分け部とを備えている。モニタリング部は、洗濯乾燥された被服の放射線量を検知し、この検知結果が、予め定められた基準値を越えているか否かによって、被服が放射能に汚染されているか否かを判別するものである。仕分け部は、モニタリング部の判別結果に基づいて、汚染されている被服と汚染されていない被服とに仕分け、汚染されていない被服を仕上げエリア４０に送り出すものである。なお、汚染されていると判定された被服は、廃棄物として処理される。
【００２７】
投入ボックス１２の下部にはシュート５０が設けられている。回収カゴ３２は、投入ボックス１２の直下に配置されており、シュート５０の下端が、回収カゴ３２に対向している。このため、投入ボックス１２に投入した被服は、シュート５０によって案内されながら落下して、回収カゴ３２に収納される。
【００２８】
配備エリア２０の直下には仕上げエリア４０があり、放射線関連施設用建物１には、配備エリア２０とエリア４０との間を昇降する昇降装置６０が設けられている。仕上げエリア４０で結束された被服は、昇降装置６０に載せられ、上階の配備エリア２０に搬送される。そして、下階の仕上げエリア４０から搬送された被服は、洗濯係員によって配備エリア２０の配備棚２２に収納される。
【００２９】
次に、放射線関連施設用建物１における被服の移動経路について説明する。図１において実線で示す矢印は、放射線関連施設用建物１における被服の移動経路を示すものである。放射線管理区域で作業した作業員は、脱衣エリア１０で被服を脱いで、投入ボックス１２に投入する。投入ボックス１２に投入された被服は、シュート５０によって案内されながら地上１階フロア３から地下１階フロア５に落下し、回収カゴ３２に収納される。そして、回収カゴ３２に所定量の被服が収納された場合に、洗濯係員は、回収カゴ３２を洗濯乾燥機３４に移動させて、被服を洗濯乾燥機３４に投入する。洗濯係員は、洗濯乾燥機３４によって洗濯乾燥された被服を、ランドリングモニタ装置３６に運ぶ。ランドリングモニタ装置３６は、被服が汚染しているか否かの判定を行い、汚染されていないと判定された被服のみを仕上げエリア４０に送り出す。仕上げエリア４０において、洗濯係員は、被服を折りたたみ、複数の被服を結束機４２によって束ねる。そして、束ねた被服を昇降装置６０に載せて、上階の配備エリア２０に搬送する。配備エリア２０に搬送された被服は、種類別に配備棚２２に収納される。
【００３０】
そして、放射線管理区域の作業員は、放射線管理区域に移動する前に配備棚２２から、洗濯済みの被服を持ち出して、洗濯済みの被服に着替えてから、放射線管理区域に移動する。その後、放射線管理区域での作業が終了した作業員は、放射線関連施設用建物１の脱衣エリア１０に移動する。このため、図１において一点鎖線で示す矢印のように、結果的に被服が、配備エリア２０から脱衣エリア１０に移動することになる。したがって、放射線管理区域での作業用の被服は、地上１階フロア３と地下１階フロア５との間を循環することになる。
【００３１】
図２は、地上１階フロアにおける各種設備の配置図である。なお、図２に示すフロアにおいて、説明の便宜を図るため、図中Ａ方向を前方向あるいは前側、図中Ａ方向に対して反対方向のＢ方向を後方向あるいは後側、図中Ａ方向に対して直角の図中Ｃ方向を左方向あるいは左側、図中Ｃ方向に対して反対方向のＤ方向を右方向あるいは右側と称することにする。
【００３２】
図２に示すように、地上１階フロア３には、図１に示す脱衣エリア１０、配備エリア２０の他、靴置き場、手洗い場、応急処置室、温水器室、休憩室、シャワー室、チェックポイント及びロッカー室等が設けられている。脱衣エリア１０は、地上１階フロア３における左側前部の中央寄りに配置されている。手洗い場は、脱衣エリア１０の後側に隣接配置されている。ここで、脱衣エリア１０の一部は、手洗い場の左側において後ろ方向に延びている。さらに、ロッカー室が、地上１階フロア３における左側後部でかつ手洗い場の後側に隣接配置されている。配備エリア２０は、地上１階フロア３における右側後部でかつロッカー室の右側に設けられている。また、チェックポイントは、配備エリア２０の前側でかつ手洗い場の左側に隣接配置されている。さらに、靴置き場、及び放射線管理区域に移動するための通路が、チェックポイントの前側すなわち地上１階フロア３における右側前部に設けられている。
【００３３】
脱衣エリア１０には、投入部に相当する投入ボックス１２が、作業員の進行方向に沿って７つ設置されている。具体的には、軍手、作業服、ズボン、帽子、綿手袋、シャツ、股引の順番で投入するように投入ボックス１２が配置されている。また、脱衣エリア１０と手洗い場との境界には、チェンジングプレス１４が設置されている。
【００３４】
チェンジングプレス１４は、幅が３０ｃｍ程度の段差を形成する長尺の部材であり、脱衣エリア１０と手洗い場との境界に設けられている。ここで、手洗い場及び手洗い場から先のエリアは、非汚染エリアとして設定されている。すなわち、チェンジングプレス１４は、脱衣エリアと非汚染エリアとの境界であり、必要最小限の着衣以外のものはチェンジングプレス１４を越えることができないルールになっている。
【００３５】
また、チェンジングプレス１４と柱とのデッドスペースに靴下専用の投入ボックス１２が設けられている。すなわち、本実施形態においては、８つの投入ボックス１２が脱衣エリア１０に設置されている。
【００３６】
チェックポイントには、作業者が放射能に汚染されているか否かを検査する検査台や、放射線管理区域に出るための入域ゲートが設けられている。また、ロッカー室には、作業員の持ち物を保管するためロッカーが複数配置されている。
【００３７】
また、図２において、脱衣エリア１０からは休憩室、シャワー室に直接移動することができず、必ずチェンジングプレス１４を越えて手洗い場を介して移動するようなフロア構成になっている。また、ロッカー室からは脱衣エリアやチェックポイントに直接移動することができず、必ず配備エリア２０を通ってチェックポイントに移動するフロア構成になっている。
【００３８】
次に、地上１階フロア３における作業員の移動経路について説明する。
【００３９】
放射線管理区域で作業した作業員は、図２中に二点差線で示す経路Ｐの順番で移動する。まず、脱衣エリア１０に移動して、脱衣を行い、軍手、作業服、ズボン、帽子、綿手袋、股引を、それぞれに対応する投入ボックス１２に投入し、最後に、靴下をチェンジングプレス１４の近くに配置した投入ボックス１２に投入する。作業員は、被服を投入ボックス１２に投入した後、チェンジングプレス１４を越えて、手洗い場、チェックポイント、配備エリア２０を通ってロッカー室に向かうことができる。作業員は、ロッカー室で着替えてから放射線関連施設用建物１の外に出ることが可能になる。なお、ロッカー室から、シャワー室や休憩室を利用することも可能である。
【００４０】
作業員が、放射線関連施設用建物１から放射線管理区域に入る場合には、図２中に二点差線で示す経路Ｑの順番で移動する。まず、ロッカー室に入り、被服や手荷物を保管した後、配備エリア２０に移動する。作業員は、配備エリア２０において配備棚２２から洗濯された作業用の被服を取り出して、着衣する。作業員は、作業用の被服を着衣した後に、チェックポイントに移動し、入域ゲートを通り、靴を履いて、放射線管理区域に移動する。
【００４１】
図３は、地下１階フロアにおける各種設備の配置図である。なお、図３に示すフロアにおいて、説明の便宜を図るため、図２に示す地上１階フロアと同様に、図中Ａ方向を前方向あるいは前側、図中Ａ方向に対して反対方向のＢ方向を後方向あるいは後側、図中Ａ方向に対して直角の図中Ｃ方向を左方向あるいは左側、図中Ｃ方向に対して反対方向のＤ方向を右方向あるいは右側と称することにする。
【００４２】
図３に示すように、地下１階フロア３には、図１に示す洗濯設備エリア３０、仕上げエリア４０の他、マスク除洗エリア、回収ボックス７０、Ｃ装備保管エリア等が設けられており、洗濯設備エリア３０の右側に仕上げエリア４０及びマスク除洗エリア、回収ボックス７０、除染シンク７２、Ｃ装備保管エリア等が設けられている。
【００４３】
回収ボックス７０は、Ｃ装備（主に、Ｃ服）・タイラック（Ｃ装備の上に着用する合羽のような着衣）用の回収ボックス、Ｃヘルメットの回収ボックス、マスクの回収ボックス、Ｂ靴の回収ボックス、Ｃ靴・Ｃ長靴の回収ボックスの順に並べて配置されたものである。
【００４４】
マスク除洗エリアは、回収ボックス７０の前側に設けられ、回収ボックス７０で回収されたマスクを洗浄するエリアである。除染シンク７２は、回収ボックス７０で回収されたＣ靴を洗浄するエリアである。また、Ｃ装備保管エリアは、回収ボックス７０の後側に所定の間隔をあけて設けられ、洗濯乾燥されたＣ装備を保管するエリアであり、Ｃ装備用の保護収納ラック及び配備棚が設置されている。
【００４５】
洗濯設備エリア３０は、地下１階フロア５の左側の領域における、中央寄りの左側前部の一部を除いた領域に配置されている。また、仕上げエリア４０は、地下１階フロア５の右側後部の領域に配置されており、洗濯設備エリア３０の右側に隣接されている。さらに、マスク除洗エリア、回収ボックス７０、除染シンク７２、Ｃ装備保管エリア等は、仕上げエリア４０の前側及び洗濯設備エリア３０の右側に隣接した領域に配置されている。
【００４６】
図２に示す地上１階フロア３の脱衣エリア１０及びロッカー室の直下に、図３に示すように洗濯設備エリア３０が配置されており、特に、洗濯設備エリア３０における８つの投入ボックス１２の直下の部位に、回収カゴ３２が配置される。
【００４７】
シュート５０の開口が対向する、回収カゴ３２による被服の受け入れ位置に対して後側に、６台の洗濯乾燥機３４が配置されている。その中の４台が、洗濯設備エリア３０内における左側中央の領域に並べて配置され、残る２台が、洗濯設備エリア３０内における右側中央で、洗濯設備エリア３０とＣ装備保管エリアとの境界付近に並べて配置されている。
【００４８】
さらに、洗濯設備エリア３０内における左側中央の４台の洗濯乾燥機３４の後側に、１台の乾燥機が設置されている。また、乾燥機の後側すなわち地下１階フロア５の左側後部の領域にランドリングモニタ装置３６が設置されている。また、洗濯設備エリア３０内における右側中央の２台の洗濯乾燥機３４の後側に、３台のランドリングモニタ装置３６が設置されている。この３台のランドリングモニタ装置３６は、洗濯設備エリア３０と仕上げエリア４０とにまたがって設置されている。なお、５つの洗濯乾燥機３４の中の２つの洗濯乾燥機３４は、Ｃ装備の洗濯乾燥専用に用いられる。また、地下１階フロア５の左側後部に設置されたランドリングモニタ装置３６は、Ｃ装備の仕上げ専用に用いられる。
【００４９】
Ｃ装備保管エリアは、仕上げエリア４０の隣りに設置されており、さらに、Ｃ装備保管エリアに対向して回収ボックス７０及び除染シンク７２が設けられている。さらに、回収ボックス７０の隣りにマスク除洗エリアが設置されている。また、回収ボックス７０における洗濯設備エリア３０側の端部でかつマスク除洗エリアの端部には、チェンジングプレス８０が配置されており、Ｃ装備において、マスク除洗エリア及び除染シンク７２で汚れを落としたＣ装備がチェンジングプレス８０を越えて、洗濯設備エリア３０に移動することが可能になる。
【００５０】
ここで、投入ボックス１２に投入される被服はＢ装備に属する服であり、Ｂ装備とは、汚染の程度による区分がＢ区域（表面汚染密度（ベクレル／ｃｍ２）が４未満（α線を放出するものがない場合）、空気中の放射性物質濃度（ベクレル／ｃｍ３）が１×１０−４未満）の場合に着用する装備である。また、図３に示されているＣ装備とは、汚染の程度による区分がＣ区域（表面汚染密度（ベクレル／ｃｍ２）が４０未満（α線を放出するものがない場合）、空気中の放射性物質濃度（ベクレル／ｃｍ３）が１×１０−３未満）の場合に着用する装備である。
【００５１】
次に、地下１階フロア５における被服の移動経路について説明する。
【００５２】
投入ボックス１２（図２参照）に投入した被服は、図３に二点差線で示す経路Ｒの順番で移動する。すなわち、洗濯係員は、回収カゴ３２を洗濯乾燥機３４に移動させて、被服の洗濯乾燥を行い、洗濯乾燥した被服をランドリングモニタ装置３６に送り込む。ランドリングモニタ装置３６は、汚染されていないと判定された被服のみを仕上げエリア４０に送り出す。そして、洗濯係員は、仕上げエリア４０において仕上げを行った後に被服を昇降装置６０に載せて、上階の配備エリア２０に搬送させる。
【００５３】
なお、作業員がＣ装備を着用する場合には、地下１階のＣ装備保管エリアに行って、Ｃ装備を着用する。
【００５４】
このように構成したことにより、本実施形態によれば、図１の矢印に示すように、被服が、放射線関連施設用建物１の上下階のフロアを循環することにより、被服の移動をコンパクトにすることが可能になり、洗濯乾燥に係る作業員の負担を軽減することができる。
【００５５】
以上、説明したように構成された本実施形態によれば、地上１階フロア３に脱衣エリア１０があり、作業員はそこで脱衣して被服をシュート５０に入れることにより、被服が洗濯設備エリアに移送される。また、洗濯設備エリアで洗濯乾燥された被服は、仕上げエリア４０で折りたたまれ、数枚の被服がまとめて結束されて、昇降装置６０を介して配備エリア２０に搬送される。このように、放射線関連施設用建物１の地上１階フロア３と、地下１階フロア５との間で被服が循環するため、洗濯する被服の回収、洗濯した被服の配備を効率的に行うことが可能になり、洗濯係員による被服の運搬作業を大幅に削減することが可能になる。
【００５６】
また本実施形態によれば、投入ボックス１２の直下に回収カゴ３２が位置するため、投入ボックス１２に入れた被服は、直下の回収カゴ３２に落下する。また、仕上げエリア４０は、配備エリア２０の直下に位置しており、昇降装置６０によって被服を仕上げエリア４０から配備エリア２０に移送する。このため、被服を運ぶ際に、同じ通路や階段及びエレベータを利用することがなくなり、被服が放射線関連施設用建物内において途中で移動経路が交差することなく循環する。これにより、洗濯する被服の回収、洗濯した被服の配備を効率的に行うことが可能になる。
【００５７】
また本実施形態によれば、放射線関連施設用建物１が、地上１階フロア３と地下１階フロア５とを備えた２層の建物であるため、シュート５０や昇降装置６０の長さを短くすることが可能になり、その分コストダウンが図れる。
【００５８】
また本実施形態によれば、大量の被服が集まる洗濯設備エリア３０が地下フロアにあるため、洗濯前の被服からの放射線による周囲への影響を低減することができる。また、脱衣エリア１０が地上１階フロア３にあるため、作業員が脱衣エリア１０に入りやすくなり、放射線関連施設用建物内１において作業員が脱衣エリア１０に到達するまでの移動距離を短くすることが可能になる。これにより、放射線関連施設用建物内が放射能で汚染されるおそれを確実に低減させることができる。
【符号の説明】
【００５９】
１  放射線関連施設用建物
３  地上１階フロア
５  地下１階フロア
１０  脱衣エリア
１２  投入ボックス
１４、８０  チェンジングプレス
２０  配備エリア
２２  配備棚
３０  洗濯設備エリア
３２  回収カゴ
３４  洗濯乾燥機
３６  ランドリングモニタ装置
４０  仕上げエリア
４２  結束機
５０  シュート
６０  昇降装置
７０  回収ボックス
７２  除染シンク
【図１】
0005220085.tif 000002
【図２】
0005220085.tif 000003
【図３】
0005220085.tif 000004